(57)【要約】【課題】ガラス板の重量受け部が、建築物の構造体に対して上方に円滑に移動できるようにすることで、ガラス板Ｇの鉛直方向の変位が大きい建物に対してもガラス板の破損を防止できるようにする。【解決手段】ガラス板Ｇを保持するガラス板保持体Ｃを、支持体Ｄを介して建築物の構造体３１に装着する建築構造物のガラス支持装置である。ガラス板保持体Ｃはガラス板Ｇを上下動可能に保持させる。ガラス板保持体Ｃは、支持体Ｄに保持されガラス板Ｇの室内面を保持する内側プレート４０と、内側プレート４０に上下動可能に支持されガラス板Ｇの上下端辺をその重量と共に支持する支持枠６０と、支持枠６０と一体でガラス板Ｇの室外面を保持する外側プレート５０と、からなる。【選択図】図１
2005248531.tif 000002
【特許請求の範囲】
【請求項１】
ガラス板を保持するガラス板保持体を、支持体を介して建築物の構造体に装着する建築構造物のガラス支持装置において、前記ガラス板保持体はガラス板を上下動可能に保持させ、上記ガラス板保持体は、支持体に保持されガラス板の室内面を保持する内側プレートと、該内側プレートに上下動可能に支持されガラス板の上下端辺をその重量と共に支持する支持枠と、該支持枠と一体でガラス板の室外面を保持する外側プレートと、からなることを特徴とする建築構造物のガラス支持装置。
【請求項２】
上記支持枠は、内側プレートに当接して摺動可能なスライド片部を具備し、該スライド片部に穿設された複数の長孔に内側プレート側に設けられた皿ボルトに案内されて上下動するようにしたことを特徴とする請求項１記載の建築構造物のガラス支持装置。
【請求項３】
上記内側プレートの室外面には、スライド片部が内側プレートから外れないようにするための外れ止めを付設したことを特徴とする請求項２記載の建築構造物のガラス支持装置。
【請求項４】
上記内側プレートの室外面には、スライド片部が内側プレートから所定以上下動しないための受け枠を付設したことを特徴とする請求項３記載の建築構造物のガラス支持装置。
【請求項５】
上記内側プレート、外側プレート及び支持枠のガラス板当接面に緩衝ゴムを付設したことを特徴とする請求項２乃至請求項４記載のいずれかの建築構造物のガラス支持装置。
【発明の詳細な説明】
【技術分野】
【０００１】
本発明は、建築構造物の壁面を構成する壁面ガラス等のガラス支持装置に関し、詳しくは、壁面ガラス等を直接保持するガラス保持体の構造に特徴を有する建築構造物のガラス支持装置に関する。
【背景技術】
【０００２】
外壁として大型のガラス板を用いる建造物は、一般のビルの他、公共施設のホール、プール等の建築構造物に採用されている。そして、これらの建築構造物の構造体は骨格として鋼材等が用いられる。例えば、図１，２に示すように、建物Ｂの外壁として複数のガラス板Ｇが、ガラス支持装置Ｈで保持され、ガラス支持装置を支持する建物Ｂの構造体３１は、建物Ｂの天井部と床部間に位置する鋼材等からなる。そして、このような複数のガラス板Ｇを保持させるガラス板保持体として、弾性スペーサを介して外部支持部材と内部支持部材とにより挟持させる構造とすることは公知（特許文献１乃至３参照）である。
【０００３】
【特許文献１】特開２００３−１９３６０１号公報
【特許文献２】特開２００３−１９３６０２号公報
【特許文献３】特開平１１−１５２８３１号公報
【０００４】
これらの公知の技術のうち、特許文献１の技術について図１２を参照して説明する。このガラス支持装置は、建物等の構造体３１がＨ鋼である場合の実施例である。ガラス支持装置は、ガラス板保持体Ｃ’と該ガラス板保持体Ｃ’を支持する支持体Ｄ’とからなる。前記各部材について、図１２を参照して説明する。
【０００５】
（ガラス板保持体Ｃ’）
ガラス板保持体Ｃ’は、外側プレート１、内側プレート２、支持軸３、ガラス押え４、ガラスライナー５等からなる。外側プレート１の中心部には支持軸３の先端雄ねじ部１０が螺合する雌ねじ部が形成されている。内側プレート２の外側の中心部には載置部１４、１４が設けられ、ガラス板Ｇの重量、及び、ガラス押え４を保持するように構成され、その内側には円筒状突出部が一体に形成される。内側プレート２には支持軸３に螺合されており、ガラス板の厚みに応じてその位置が設定される。内側プレート２を支持軸３に固定するに当っては、円筒状突出部に形成されるねじ孔に固定具を螺合させることにより行う。外側のガラス押え４に対して内側のガラス押え４が設けられる。
【０００６】
（支持体Ｄ’）
支持軸３は、その先端部に先端雄ねじ部１０が形成され、支持枠部１５と共に雄ねじ部１６が形成されている。前記支持枠部１５の両側には、載置部１４が配置され、合成樹脂製のガラスライナー５が装着される。第一ナット６は、その軸方向に雌ねじ部１７を有し、支持軸３の雄ねじ部１６に螺合し、後述の筒状ロッド８に対する支持軸３の姿勢が規定された後の支持軸３を筒状ロッド８に固定する機能を有する。第一ナット６は、雄ねじ部１６に対して進退可能である。第二ナット７は全体としてその外形が円形であり、且つ、上下面のみ平面状となっており、この上下の平面部により、筒状ロッド８が第二ナット７に対して水平移動可能且つ回転不可であるように連結されている。換言すれば、筒状ロッド８に対して、第二ナット７は所定の範囲で水平移動は可能であるが、回転不可となっている。前記溝１５’には第二ナット７にその軸方向とは直角に螺合されている筒ネジの先端が係合されている。
【０００７】
第二ナット７は支持軸３の雄ねじ部１６に筒状ロッド８内において螺合され、その螺合角度は筒ネジによって規定される。なお、筒ネジは外周面に第二ナット７に螺合する雄ねじ部が形成され、また、その内周面は六角形の筒状部となっており、筒状ロッド８に形成されている長円孔１９に臨んで配置されている。
【０００８】
筒状ロッド８は、先端に横方向に長い横長孔１８が形成された全体として円筒状のもので、支持軸３が上記横長孔１８に挿通され、且つ、支持軸３の雄ねじ部１６に螺合する後述の第二ナット７をその筒内に収容するものである。また、筒状ロッド８の上面側には、その前方部に長円孔１９が、その側方部の両側には調整孔２０が、また、その後方部の上下に円孔２１がそれぞれ形成されている。
【０００９】
ブラケット９は、筒状で先端ほど径小となっており、上下面にカット部が形成されている。また、ブラケット９の筒状内部に、先端に径大部２２を有する固定用ボルト２３が収容されており、また、ブラケット９の先端部両側方にはねじ孔２４が、また、基端部には、上下にねじ孔２５がそれぞれ穿設され、首振り調整ボルト２６と、上下調整ボルト２７とが螺入できるようにしてある。
【００１０】
ブラケット９の先端近傍の左右に穿設されたねじ孔２４には、首振り調整ボルト２６が出し入れ可能に装着されている。首振り調整ボルト２６は所定長さの柱状で、外周に雄ねじが形成されている。また、首振り調整ボルト２６の上記端部は、筒状ロッド８の内壁に当接している。したがって、首振り調整ボルト２６は、前記筒状ロッド８の左右に穿設されている調整孔２０を介して回転操作ができ、前記ブラケット９に対して首振り調整ボルト２６をブラケット９から出し入れすることにより、筒状ロッド８が左右に首振り可能となるように構成されている。カラー２８は、屋外側面に上下に長い縦長孔２９が設けられた断面略Ｕ型のもので、前記縦長孔２９に固定用ボルト２３を挿通し、上下位置を調整してナット３０を螺合するものである。
【００１１】
しかしながら、上記従来技術にあっては、ガラス板Ｇの鉛直方向の変位の対応ができず、面内の逃げが少ない構造となっている。即ち、地震や熱変形等の外的要因によるガラス板の上下方向の変位への対応は考慮していない構造となっている。一方、ガラス板の上下方向の変位への対応を考慮した構造として、特許文献３に記載の発明が提案されているが、この発明は、構造が複雑であるばかりでなく支持状態が不安定で、ガラス板を強く保持させる必要があり、円滑な上下移動を許容できるものではなかった。
【発明の開示】
【発明が解決しようとする課題】
【００１２】
したがって、本発明の課題は、ガラス板の重量受け部が、建築物の構造体に対して上下方向に円滑に移動できるようにすることで、ガラス板Ｇの鉛直方向の変位が大きい建物に対してもガラス板の破損を防止できるガラス支持装置を提供することにある。
【課題を解決するための手段】
【００１３】
上記課題を達成するために、本発明は、以下の手段を講じた。即ち、
請求項１記載の建築構造物のガラス支持装置は、ガラス板Ｇを保持するガラス板保持体Ｃを、支持体Ｄを介して建築物の構造体３１に装着する建築構造物のガラス支持装置において、前記ガラス板保持体Ｃはガラス板Ｇを上下動可能に保持させ、上記ガラス板保持体Ｃは、支持体Ｄに保持されガラス板Ｇの室内面を保持する内側プレート４０と、該内側プレート４０に上下動可能に支持されガラス板Ｇの上下端辺をその重量と共に支持する支持枠６０と、該支持枠６０と一体でガラス板Ｇの室外面を保持する外側プレート５０と、からなることを特徴とする。
【００１４】
請求項２記載の建築構造物のガラス支持装置は、上記請求項１記載の手段において、上記支持枠６０は、内側プレート４０に当接して摺動可能なスライド片部６３を具備し、該スライド片部６３に穿設された複数の長孔６３ａに内側プレート４０側に設けられた皿ボルト４１に案内されて上下動するようにしたことを特徴とする。
【００１５】
請求項３記載の建築構造物のガラス支持装置は、上記請求項２記載の手段において、上記内側プレート４０の室外面には、スライド片部６３が内側プレート４０から外れないようにするための外れ止め４０ａを付設したことを特徴とする。
【００１６】
請求項４記載の建築構造物のガラス支持装置は、上記請求項３記載の手段において、上記内側プレート４０の室外面には、スライド片部６３を内側プレート４０から所定以上、下動しないための受け枠４０ｃを付設したことを特徴とする。
【００１７】
請求項５記載の建築構造物のガラス支持装置は、上記請求項２乃至請求項４記載のいずれかの手段において、上記内側プレート４０、外側プレート５０及び支持枠６０のガラス板Ｇ当接面に緩衝ゴム５５を付設したことを特徴とする。
【発明の効果】
【００１８】
本発明は、上記構成により、ガラス板Ｇの鉛直方向の変位がある建物に対してもガラス板の破損を防止して円滑にガラス板Ｇを支持させることができる。
【発明を実施するための最良の形態】
【００１９】
以下、本発明の実施例１について図面を用いて説明する。図１は本発明が適用された窓の外側からみた正面図、図２は図１のＹ−Ｙ断面図、図３は本発明の組立状態を説明する斜視図、図４はそのガラス支持装置の側面図、図５はガラス支持装置の保持体を構成する内側プレートの第１状態の斜視図、図６は同内側プレートの第２状態の斜視図、図７は図４のａ方向の矢視図、図８は図７のVII−VII断面の断面図、図９は図７のVIII−VIII断面の断面図、図１０は図４のｂ方向の矢視図、図１１は図４のｃ方向の矢視図である。
【００２０】
（全体構成）
図１は本発明の実施例に係る建物のガラス支持装置であり、特許文献１に開示のガラス支持装置と同様に、ガラス板保持体Ｃと支持体Ｄとからなる。
【００２１】
（ガラス板保持体Ｃ）
内側プレート４０は、特に、図３，４、図７乃至図９、及び図１１のいずれかに示すように支持体Ｄ側の支持軸３の室外側の端部に内側プレート４０側の連結筒部４６を介して装着され、筒ねじなどの固定具４７により固定される。内側プレート４０は、円盤形状でその室外側面の上部位置に、断面が倒立状のＬ形状で所定幅の外れ止め４０ａが下方解放状態で溶着されている。また、内側プレート４０の４個所にはボルト孔４０ｂが穿設され、該ボルト孔４０ｂには、所定長さで内側プレート４０の室外側に突出する皿ボルト４１が螺合され、該皿ボルト４１は室内側において袋ナット４２で固定されると共に室外側では、後述のスライド片部６３側の長孔６３ａが挿通されてナット状スペーサ４３が配置される。
換言すれば、皿ボルト４１にナット状スペーサ４３を装着した状態で、該皿ボルト４１をボルト孔４０ｂに螺合・挿入させ、袋ナット４２にて内側プレート４０に固定することになる。そして、このナット状スペーサ４３を包むようにキャップ状の緩衝ゴム４５を装着してもよい。
【００２２】
（外側プレート５０）
外側プレート５０は、特に図８及び図１０に示すように、上記内側プレート４０と略同一形状で鏡面対称状に配置され、その室内側面の中心部にはボルト穴５０ａが穿設される。そして、該外側プレート５０の室内側面には所定厚みで硬質弾性体からなるリング状スペーサ５１が当接状態で配置される。なお、このリング状スペーサ５１の外側プレート５０側には４個の膨出部５１ａが形成され、該膨出部５１ａが外側プレート５０の内面に当接するように配置されている。そして、上記リング状スペーサ５１の室内面には板状の緩衝ゴム５５が溶着されている。
【００２３】
（支持枠６０）
外側プレート５０の室内面には更に支持枠６０が一体に固着される。支持枠６０は、特に図５，６及び図８に示すように、板状の外側装着片６１と、該外側装着片６１から室内側に水平板状に設けられる水平裁置片６２と、該水平裁置片６２の室内側端縁から、直角状で且つ外側装着片６１と平行状態に形成される板状のスライド片部６３と、からなる。
【００２４】
また、図５，６に示すように、上記外側装着片６１の上部中央部には、外側装着片６１と一体のボルト取付板６３ｂを介して外側プレート取付ボルト６３ｃが設けられる。そして、この外側プレート取付ボルト６３ｃを上記ボルト穴５０ａに螺合することで、支持枠６０を外側プレート５０に一体とする。
上記水平裁置片６２は、その上下面においてガラス板Ｇを支持する。また、スライド片部６３には、上記内側プレート４０の室外面に当接状態で上下にスライド可能に配置されると共に、上下に長い長孔６３ａが４個所穿設されており、この長孔６３ａに皿ボルト４１が挿通される。したがって、スライド片部６３は、４本の皿ボルト４１に案内されて所定範囲で上下動可能であり、スライド片部６３と一体の支持枠６０及び外側プレート５０が所定範囲で上下動可能となる。
【００２５】
また、支持枠６０の外側装着片６１の室内側面と、水平裁置片６２の下面と、スライド片部６３の室外側面には、支持枠６０の補強のための方形状の鉛直補強片６４がその三辺において溶着されている。そして、この鉛直補強片６４により、水平裁置片６２の下部において支持する２枚のガラス板Ｇを区画している。更に、この支持枠６０には、図１０に示すように、水平裁置片６２の上・下面及び鉛直補強片６４の左右の両面に板状の緩衝ゴム６５ａが添着され、水平裁置片６２と鉛直補強片６４とのコーナー部には塊状の緩衝ゴム６５ｂが配置される。
【００２６】
（支持体Ｄ）
内側プレート４０を直接支持する支持軸３は、雄ねじ部１６で形成されている。
そして、雄ねじ部１６の前端（室外側）は、図４，８に示すように、内側プレート４０の連結筒部４６におけるボルト孔４０ｂに螺合される。また、雄ねじ部１６の上方には、軸方向に沿って溝１５'が形成される。
【００２７】
第一ナット６は、その軸方向に雌ねじ部１７を有し、支持軸３の雄ねじ部１６に螺合し、後述の筒状ロッド８に対する支持軸３の姿勢（左右位置調整・出入り調整・回転調整）が規定された後の支持軸３を筒状ロッド８に固定する機能を有する。第一ナット６は、雄ねじ部１６に対して進退可能である。
【００２８】
第二ナット７は、所謂六角ナットではなく、全体としてその外形が円形であり、且つ、上下面のみ平面状７ａとなっており、この上下の平面部７ａにより、筒状ロッド８が第二ナット７に対して水平移動可能且つ回転不可であるように連結されている。換言すれば、筒状ロッド８に対して、第二ナット７は所定の範囲で水平移動は可能であるが、回転不可となっている。したがって、筒状ロッド８に対して、支持軸３は所定の範囲で水平移動は可能であるが、回転不可となっている。前記溝１５'には第二ナット７にその軸方向とは直角に螺合されている筒ネジ１９’の先端が係合されている。筒ネジ１９’を第二ナット７から離れる方向（抜き出し方向）に位置させると、筒ネジ１９’の他端が長円孔１９内に位置することになり、その結果、第二ナット７は所定角度で長円孔１９の範囲内で回転が可能となる。
【００２９】
第二ナット７は、前述したように、筒状ロッド８に収容され、雄ねじ部１６と螺合するものである。また、第二ナット７は、支持軸３のねじ部１６に筒状ロッド８内において、螺合され、その螺合角度は筒ネジ１９’によって規定される。なお、筒ネジ１９’は、外周面に第二ナット７に螺合する雄ねじ部が形成され、また、その内周面は六角形の筒状部となっている。また、筒ネジ１９’は、筒状ロッド８に形成されている長円孔１９に臨んで配置されている。したがって、筒ネジ１９’は、筒状ロッド８の長円孔１９に六角レンジを挿通させ、筒ネジ１９’を回転させることにより、第二ナット７に対して筒ネジ１９’を進退させる。そして、支持軸３に対する第二ナット７の姿勢を規定する機能を有するものである。
【００３０】
筒状ロッド８は、先端に横方向に長い横長孔１８が形成された全体として円筒状のもので、支持軸３が上記横長孔１８に挿通され、且つ、支持軸３の雄ねじ部１６に螺合する後述の第二ナット７をその筒内に収容するものである。また、筒状ロッド８の上面側には、その前方部に長円孔１９が、その側方部の両側には調整孔２０が、また、その後方部の上下に円孔２１がそれぞれ形成されている。
【００３１】
ブラケット９は、全体として筒状で先端（室外側）ほど径小となっており、上下面にカット部が形成されている。先端（室外側）ほど径小にしたのは、躯体側に固定される固定用ボルト２３に対して左右に首振り調整を可能とするためであり、上下面にカット部を形成したのは、前記首振り調整においてもブラケット９を水平姿勢を保持させるためである。ブラケット９の筒状内部に、先端に径大部２２を有する固定用ボルト２３が収容されており、また、ブラケット９の先端部両側方にはねじ孔２４が、また、基端部（構造体側）には、上下にねじ孔２５がそれぞれ穿設され、首振り調整ボルト２６と、上下調整ボルト２７とが螺入できるようにしている。
【００３２】
前記のように、ブラケット９の先端近傍の左右に穿設されたねじ孔２４には、首振り調整ボルト２６が出し入れ可能に装着されている。首振り調整ボルト２６は所定長さの柱状で、外周に雄ねじが形成されており、ネジ頭はない。しかし、首振り調整ボルト２６の端部には、回転操作用（出し入れ操作用）の六角レンジが挿入可能なレンジ穴が穿設されている。また、首振り調整ボルト２６の上記端部は、筒状ロッド８の内壁に当接している。したがって、首振り調整ボルト２６は、前記筒状ロッド８の左右に穿設されている調整孔２０を介して回転操作ができ、前記ブラケット９に対して首振り調整ボルト２６をブラケット９から出し入れすることにより、筒状ロッド８が左右に首振り可能となるように構成されている。
【００３３】
カラー２８は、屋外側面に上下に長い縦長孔２９が設けられた断面略Ｕ型のもので、前記縦長孔２９に固定用ボルト２３を挿通し、固定用ボルト２３に、固定用ボルト２３の上下位置を調整して、ナット３０を螺合するものである。３１は、建物等の構造体である。
【００３４】
このガラス支持装置の上下調整は、固定用ボルト２３をカラー２８に取り付ける際に行う。また、首振り調整は、固定用ボルト２３に対して、筒状ロッド８を固定する際に行う。また、前後（出入り）調整は、支持軸３に対する第二ナット７の螺合調整により行う。更に、左右調整は、筒状ロッド８に対する支持軸３の位置を調整し、第一ナット６で固定することで行う。回転調整についても、筒状ロッド８に対する支持軸３の回転角度を調整し、第一ナット６で固定することで行う。このガラス支持装置は、支持軸３に対する内側プレート２の位置を調整できるから、多種類のガラスの厚さに対応させることができる。
【００３５】
（作用）
上記ガラス板保持体Ｃは、支持体Ｄにより構造体３１に対して略所定位置において、図１，２に示すように、ガラス板Ｇを支持するが、ガラス板保持体Ｃに下部のガラス板Ｇから押し上げ力が作用した場合、内側プレート４０に対して支持枠６０及び外側プレート５０が上動して、構造体３１に対するガラス板Ｇの上動を許容する。したがって、ガラス板Ｇにガラス板保持体Ｃからの外力が作用せず、ガラス板Ｇを破損することがない。
【００３６】
なお、上記実施例は、長孔６３ａを上下方向に長く設けたことから、支持枠６０及び外側プレート５０を上下動可能としが、長孔（図示せず）を水平方向に長く設けた場合は、支持枠６０及び外側プレート５０を水平方向に移動可能とすることができ、更に、長孔６３ａを上下方向に長く設けたスライド片部と長孔を水平方向に長く設けたスライド片部とを併用すれば、ガラス板Ｇの面内方向のいずれの方向の移動（ずれ）に対しても対応させることができる。
【図面の簡単な説明】
【００３７】
【図１】本発明が適用された窓の外側からみた正面図。
【図２】図１のＹ−Ｙ断面図。
【図３】本発明の組立状態を説明する斜視図。
【図４】本発明にかかる建物構造物のガラス支持装置の側面図。
【図５】ガラス支持装置の保持体を構成する内側プレートの第１状態の斜視図。
【図６】同内側プレートの第２状態の斜視図。
【図７】図４のａ方向の矢視図。
【図８】図７のVII−VII断面の断面図。
【図９】図７のVIII−VIII断面の断面図。
【図１０】図４のｂ方向の矢視図。
【図１１】図４のｃ方向の矢視図。
【００３８】
【図１２】公知技術の組立状態を説明する斜視図。
【符号の説明】
【００３９】
Ｂ・・建物   Ｃ’・・ガラス板保持体（公知）  Ｃ・・ガラス板保持体（本発明）
Ｄ’・・支持体（公知）Ｄ・・支持体  Ｇ・・ガラス板  Ｈ・・ガラス支持装置
【００４０】
１・・外側プレート  ２・・内側プレート  ３・・支持軸  ４・・ガラス押え
５・・ガラスライナー  ６・・第一ナット  ７・・第二ナット  ７ａ・・平面部
８・・筒状ロッド  ９・・ブラケット  １０・・先端雄ねじ部
１４・・載置部  １５・・支持枠部  １５'・・溝  １６・・雄ねじ部
１７・・雌ねじ部  １８・・横長孔  １９・・長円孔  １９’・・筒ネジ
２０・・調整孔  ２１・・円孔  ２２・・径大部  ２３・・固定用ボルト
２４，２５・・ねじ孔  ２６・・首振り調整ボルト  ２７・・上下調整ボルト
２８・・カラー  ２９・・縦長孔  ３０・・ナット  ３１・・構造体
【００４１】
４０・・内側プレート  ４０ａ・・外れ止め  ４０ｂ・・ボルト孔
４０ｃ・・受け枠  ４１・・皿ボルト  ４２・・袋ナット
４３・・ナット状スペーサ  ４５・・緩衝ゴム  ４６・・連結筒部
４７・・固定具  ５０・・外側プレート  ５０ａ・・ボルト穴
５１・・リング状スペーサ  ５１ａ・・膨出部  ５５・・緩衝ゴム  
６０・・支持枠  ６１・・外側装着片  ６２・・水平裁置片
６３・・スライド片部  ６３ａ・・長孔  ６３ｂ・・ボルト取付板
６３ｃ・・外側プレート取付ボルト  ６４・・鉛直補強片
６５ａ・・（板状の）緩衝ゴム  ６５ｂ・・（塊状の）緩衝ゴム
【図１】
2005248531.tif 000003
【図２】
2005248531.tif 000004
【図３】
2005248531.tif 000005
【図４】
2005248531.tif 000006
【図５】
2005248531.tif 000007
【図６】
2005248531.tif 000008
【図７】
2005248531.tif 000009
【図８】
2005248531.tif 000010
【図９】
2005248531.tif 000011
【図１０】
2005248531.tif 000012
【図１１】
2005248531.tif 000013
【図１２】
2005248531.tif 000014